(57)【要約】【課題】  太陽光に代表されるように強い光の下であっても、必要な情報をはっきりと確認することができる表示装置および撮影装置を提供する。【解決手段】  画像データに基づく画像を表示する液晶表示画面２０＿５と、その液晶表示画面２０＿５上に配置された接触位置を検出する透明フイルム３００ａ，透明導電膜３００ｂ，ガラス基板３００ｃ，透明導電膜３００ｄ，ドットスペーサ３００ｅからなるタッチパネル３００と、液晶表示画面２０＿５およびタッチパネル３００が重なるように配置された複数個の光透過性のＬＥＤ３０１とを備えた。【選択図】  図１０
2006244292.tif 000002
【特許請求の範囲】
【請求項１】
画像データに基づく画像を表示する表示画面と、該表示画面上に配置された複数個の光透過性の発光体とを備えたことを特徴とする表示装置。
【請求項２】
画像データに基づく画像を表示する表示画面と、該表示画面上に配置された接触位置を検出するタッチパネルと、該表示画面および該タッチパネルが重なるように配置された複数個の光透過性の発光体とを備えたことを特徴とする表示装置。
【請求項３】
前記タッチパネルへの接触に連動して前記光透過性の発光体を発光させる発光制御部を備えたことを特徴とする請求項２記載の表示装置。
【請求項４】
前記発光制御部は、前記タッチパネルへの接触に連動して接触点に対応する前記光透過性の発光体を発光させるものであることを特徴とする請求項３記載の表示装置。
【請求項５】
照度センサを備え、前記発光制御部は、所定の照度以上の照度下にある場合に、前記タッチパネルへの接触に連動して前記光透過性の発光体を発光させるものであることを特徴とする請求項３記載の表示装置。
【請求項６】
前記複数個の光透過性の発光体は複数の色で発光を分担する発光体であって、
前記タッチパネルへの接触と該接触により生じる効果との対応関係が定義された操作モードに切り替える操作モード切替部を備え、
前記発光制御部は、前記タッチパネルへの接触に連動して操作モードに応じた発光色の前記光透過性の発光体を発光させるものであることを特徴とする請求項３記載の表示装置。
【請求項７】
被写体を捉えて画像データを生成する撮影装置において、
画像データに基づく画像を表示する表示画面と、該表示画面上に配置された複数個の光透過性の発光体とを備えたことを特徴とする撮影装置。
【請求項８】
被写体を捉えて画像データを生成する撮影装置において、
画像データに基づく画像を表示する表示画面と、該表示画面上に配置された接触位置を検出するタッチパネルと、該表示画面および該タッチパネルが重なるように配置された複数個の光透過性の発光体とを備えたことを特徴とする撮影装置。
【請求項９】
前記タッチパネルへの接触に連動して前記光透過性の発光体を発光させる発光制御部を備えたことを特徴とする請求項８記載の撮影装置。
【請求項１０】
前記発光制御部は、前記タッチパネルへの接触に連動して接触点に対応する前記光透過性の発光体を発光させるものであることを特徴とする請求項９記載の撮影装置。
【請求項１１】
照度センサを備え、前記発光制御部は、所定の照度以上の照度下にある場合に、前記タッチパネルへの接触に連動して前記光透過性の発光体を発光させるものであることを特徴とする請求項９記載の撮影装置。
【請求項１２】
前記複数個の前記光透過性の発光体は複数の色で発光を分担する発光体であって、
前記タッチパネルへの接触と該接触により生じる効果との対応関係が定義された操作モードに切り替える操作モード切替部を備え、
前記発光制御部は、前記タッチパネルへの接触に連動して操作モードに応じた発光色の前記光透過性の発光体を発光させるものであることを特徴とする請求項９記載の撮影装置。
【発明の詳細な説明】
【技術分野】
【０００１】
本発明は、画像を表示する表示装置、および被写体光を捉えて画像データを生成する撮影装置に関する。
【背景技術】
【０００２】
従来より、被写体光を捉えて画像データを生成する撮影装置の１つにデジタルカメラがある。このようなデジタルカメラには、撮影光学系を経由して入射してきた被写体光を撮像素子上に結像して画像データを生成し、その生成された画像データに基づいて画像を表示する表示装置が備えられている。
【０００３】
ここで、表示画面上にタッチパネルを設け、そのタッチパネルをペン型入力装置でタッチすることにより、メニュー項目等を自在に選択することができるデジタルカメラが提案されている（例えば、特許文献１参照）。このデジタルカメラによれば、入力操作性を高めることができる。
【特許文献１】特開２００３−２９８９０４号公報
【発明の開示】
【発明が解決しようとする課題】
【０００４】
一般に、デジタルカメラ等の撮影装置には、液晶を用いた液晶表示装置が広く用いられている。この液晶表示装置の画面には、構図確認用のスルー画や、電池残量等を示す各種のアイコンや、各種のメニュー項目を選択するためのメニュー選択画面等が表示される。しかし、太陽光に代表されるように強い光の下では、液晶表示装置の画面が見づらいため、必要な情報をはっきりと確認することが困難であるという問題がある。
【０００５】
また、上述した特許文献１に提案されたデジタルカメラにおいても、強い光の下ではタッチパネルの画面が見づらいため、画面のどの位置をタッチしたらよいのか分からないという問題がある。
【０００６】
本発明は、上記事情に鑑み、太陽光に代表されるように強い光の下であっても、必要な情報をはっきりと確認することができる表示装置および撮影装置を提供することを目的とする。
【課題を解決するための手段】
【０００７】
上記目的を達成する本発明の表示装置のうちの第１の表示装置は、
画像データに基づく画像を表示する表示画面と、その表示画面上に配置された複数個の光透過性の発光体とを備えたことを特徴とする。
【０００８】
本発明の第１の表示装置は、画像データに基づく画像を表示する表示画面上に、複数個の光透過性の発光体が配置された構成であるため、表示画面に表示される情報（例えば、電池交換を促す旨の電池残量用アイコン）に対応する箇所の発光体を点灯もしくは点滅させたり、あるいはその情報を発光体の点灯もしくは点滅により直接的に表現することができる。従って、太陽光に代表されるように強い光の下であっても、必要な情報をはっきりと確認することができる表示装置を提供することができる。
【０００９】
また、上記目的を達成する本発明の表示装置のうちの第２の表示装置は、
画像データに基づく画像を表示する表示画面と、その表示画面上に配置された接触位置を検出するタッチパネルと、その表示画面およびそのタッチパネルが重なるように配置された複数個の光透過性の発光体とを備えたことを特徴とする。
【００１０】
本発明の第２の表示装置は、画像データに基づく画像を表示する表示画面および接触位置を検出するタッチパネルが重なるように、複数個の光透過性の発光体を配置した構成であるため、表示画面に表示される情報に対応する箇所の発光体を点灯もしくは点滅させたり、あるいはその情報を発光体の点灯もしくは点滅により直接的に表現することができる。従って、太陽光に代表されるように強い光の下であっても、タッチパネルのどの位置をタッチしたらよいのかをはっきりと確認することができる表示装置を提供することができる。
【００１１】
ここで、上記タッチパネルへの接触に連動して上記光透過性の発光体を発光させる発光制御部を備えたものであることが好ましい。
【００１２】
このようにすると、操作子を操作して光透過性の発光体を発光させる必要もなく、従って操作性が高まる。
【００１３】
また、上記発光制御部は、上記タッチパネルへの接触に連動して接触点に対応する上記光透過性の発光体を発光させるものであることも好ましい態様である。
【００１４】
このようにすると、接触した位置を即座に確認することができる。従って、その位置における情報を素早く把握することができる。
【００１５】
さらに、照度センサを備え、上記発光制御部は、所定の照度以上の照度下にある場合に、上記タッチパネルへの接触に連動して上記光透過性の発光体を発光させるものであることも好ましい。
【００１６】
このようにすると、タッチパネルをタッチした場合であっても、比較的明るい場所でのみ、光透過性の発光体が発光するため、消費電力の低減化に寄与することができる。
【００１７】
また、上記複数個の光透過性の発光体は複数の色で発光を分担する発光体であって、
上記タッチパネルへの接触とその接触により生じる効果との対応関係が定義された操作モードに切り替える操作モード切替部を備え、
上記発光制御部は、上記タッチパネルへの接触に連動して操作モードに応じた発光色の上記光透過性の発光体を発光させるものであることも好ましい。
【００１８】
このようにすると、例えば、撮影モードでは赤色で光透過性発光体を発光させ、再生モードでは青色で光透過性発光体を発光させるというように制御することができる。従って、表示画面に表示される情報を一層はっきりと確認することができる。
【００１９】
また、上記目的を達成する本発明の撮影装置のうちの第１の撮影装置は、被写体を捉えて画像データを生成する撮影装置において、
画像データに基づく画像を表示する表示画面と、その表示画面上に配置された複数個の光透過性の発光体とを備えたことを特徴とする。
【００２０】
本発明の第１の撮影装置は、画像データに基づく画像を表示する表示画面上に、複数個の光透過性の発光体が配置された構成であるため、表示画面に表示される情報に対応する箇所の発光体を点灯もしくは点滅させたり、あるいはその情報を発光体の点灯もしくは点滅により直接的に表現することができる。従って、太陽光に代表されるように強い光の下であっても、必要な情報をはっきりと確認することができる撮影装置を提供することができる。
【００２１】
さらに、上記目的を達成する本発明の撮影装置のうちの第２の撮影装置は、被写体を捉えて画像データを生成する撮影装置において、
画像データに基づく画像を表示する表示画面と、その表示画面上に配置された接触位置を検出するタッチパネルと、その表示画面およびそのタッチパネルが重なるように配置された複数個の光透過性の発光体とを備えたことを特徴とする。
【００２２】
本発明の第２の撮影装置は、画像データに基づく画像を表示する表示画面および接触位置を検出するタッチパネルが重なるように、複数個の光透過性の発光体を配置した構成であるため、表示画面に表示される情報に対応する箇所の発光体を点灯もしくは点滅させたり、あるいはその情報を発光体の点灯もしくは点滅により直接的に表現することができる。従って、太陽光に代表されるように強い光の下であっても、タッチパネルのどの位置をタッチしたらよいのかをはっきりと確認することができる撮影装置を提供することができる。
【００２３】
ここで、本発明の第２の撮影装置において、上記タッチパネルへの接触に連動して上記光透過性の発光体を発光させる発光制御部を備えたものであることが好ましい。
【００２４】
このようにすると、操作子を操作して光透過性の発光体を発光させる必要もなく、従って操作性が高まる。
【００２５】
また、本発明の第２の撮影装置における上記発光制御部は、上記タッチパネルへの接触に連動して接触点に対応する上記光透過性の発光体を発光させるものであることも好ましい態様である。
【００２６】
このようにすると、接触した位置を即座に視認することができるため、その位置における情報を素早く把握することができる。
【００２７】
さらに、本発明の第２の撮影装置において、照度センサを備え、上記発光制御部は、所定の照度以上の照度下にある場合に、上記タッチパネルへの接触に連動して上記光透過性の発光体を発光させるものであることも好ましい。
【００２８】
このようにすると、タッチパネルをタッチした場合であっても、比較的明るい場所でのみ、光透過性の発光体が発光するため、消費電力の低減化が図られる。
【００２９】
また、本発明の第２の撮影装置における上記複数個の光透過性の発光体は複数の色で発光を分担する発光体であって、
上記タッチパネルへの接触とその接触により生じる効果との対応関係が定義された操作モードに切り替える操作モード切替部を備え、
上記発光制御部は、上記タッチパネルへの接触に連動して操作モードに応じた発光色の上記光透過性の発光体を発光させるものであることも好ましい。
【００３０】
このようにすると、例えば、撮影モードでは赤色で光透過性発光体を発光させ、再生モードでは青色で光透過性発光体を発光させるというように制御することができる。従って、表示画面に表示される情報を一層はっきりと確認することができる。
【発明の効果】
【００３１】
本発明によれば、太陽光に代表されるように強い光の下であっても、必要な情報をはっきりと確認することができる表示装置および撮影装置を提供することができる。
【発明を実施するための最良の形態】
【００３２】
以下、本発明の実施の形態について説明する。
【００３３】
図１は、本発明の第１の撮影装置の一実施形態のデジタルカメラを前面斜め上から見た外観斜視図である。
【００３４】
図１に示すデジタルカメラ１の前面中央部には、ズームレンズ１０＿１ａを内部に備えたズーム鏡胴１０＿１が備えられている。また、このデジタルカメラ１の前面上部には、撮影に同期してフラッシュを発するフラッシュ発光部１０＿２と、フラッシュ発光部１０＿２からのフラッシュの光量を制御するためにそのフラッシュの光量を検出するフラッシュ調光センサ１０＿３と、後述する光学式ファインダを構成する光学式ファインダ対物窓１０＿４１ａとが備えられている。
【００３５】
また、このデジタルカメラ１の前面左側には、このデジタルカメラ１を確実に握ることができる形状を有するグリップ１０＿５と、セルフタイマ作動時等に点滅するセルフタイマランプ１０＿６が備えられている。
【００３６】
さらに、このデジタルカメラ１の上面には、シャッタボタン１０＿８と、各種の設定を行なうためのモードダイヤル１０＿９と、電源ボタン１０＿１０とが備えられている。
【００３７】
図２は、図１に示すデジタルカメラを上から見た外観図である。
【００３８】
このデジタルカメラ１には、前述したフラッシュ発光部１０＿２，シャッタボタン１０＿８，モードダイヤル１０＿９，電源ボタン１０＿１０に加えて、このデジタルカメラ１の上方から下方に向けて設けられた斜面部に、フラッシュ発光部１０＿２をポップアップするためのポップアップボタン１０＿１２が備えられている。また、モードダイヤル１０＿９には、オートモードを示す文字ＡＵＴＯ、プログラムオートモードを示すＰ、シャッタスピード優先オートモードを示すＳ、絞り優先オートモードを示すＡ、マニュアルモードを示すＭ、動画モードを示す絵柄、および４つのシーンポジション（夜景、スポーツ、風景、人物のシーンポジション）を示す４つの絵柄が印刷されている。このモードダイヤル１０＿９を回転操作することにより、所望のモードに設定することができる。ここで、各モードについて簡単に説明する。
【００３９】
オートモード（ＡＵＴＯ）は、カメラ側で露出やホワイトバランス等全てを制御するためのモードである。プログラムオートモード（Ｐ）は、シャッタスピードと絞りを自動的に設定するためのモードである。シャッタスピード優先オートモード（Ｓ）は、シャッタスピードを優先的に設定するためのモードである。絞り優先オートモード（Ａ）は、絞りを優先的に設定するためのモードである。マニュアルモード（Ｍ）は、シャッタスピードと絞りを自由に設定するためのモードである。マニュアルモード（Ｍ）の隣りの絵柄で示される動画モードは、動画撮影用のモードである。
【００４０】
また、この動画モードから見て時計回りに４つの撮影シーン（夜景、スポーツ、風景、人物）を選択するための４つのシーンポジションモードがある。
【００４１】
夜景用のシーンポジションモードは、夕景や夜景などの雰囲気を活かした撮影に好適なモードである。スポーツ用のシーンポジションモードは、スポーツシーンをはじめ、動体撮影に好適なモードである。風景用のシーンポジションモードは、建物や山等、昼間の風景撮影に好適なモードである。人物用のシーンポジションモードは、肌色をより美しく写し出すことができるポートレート撮影に好適なモードである。
【００４２】
図３は、図１に示すデジタルカメラを背面から見た外観図である。
【００４３】
図３に示すデジタルカメラ１の背面上部には、光学式ファインダを構成する光学式ファインダ接眼窓１０＿４２ｂと、露出補正ボタン１０＿２４と、押下することにより広角側（ワイド側）にズームアップする広角ズームボタン１０＿２５と、押下することにより望遠側（テレ側）にズームアップする望遠ズームボタン１０＿２６と、撮影モード側１０＿２７ａと再生モード側１０＿２７ｂとに切り換えるモードスイッチ１０＿２７とが備えられている。
【００４４】
また、モードスイッチ１０＿２７の下側には、フォトモードボタン１０＿３０と、十字ボタン１０＿３１と、メニュー／ＯＫボタン１０＿３２と、ＤＩＳＰ／ＢＡＣＫボタン１０＿３３とが備えられている。さらに、フォトモードボタン１０＿３０とＤＩＳＰ／ＢＡＣＫボタン１０＿３３との間には、ＬＥＤオン／オフボタン１０＿３４が備えられている。また、デジタルカメラ１の背面中央部には、表示装置２０が備えられている。ここで、表示装置２０が、本発明の第１の表示装置の一例に相当する。
【００４５】
フォトモードボタン１０＿３０は、ピクセル数，感度，色味，プリント枚数等を設定するためのボタンである。
【００４６】
十字ボタン１０＿３１は、表示装置２０上にメニュー画面などが表示された場合には、その十字キー１０＿３１の上ボタン１０＿３１ａ、下ボタン１０＿３１ｂ、左ボタン１０＿３１ｃ、右ボタン１０＿３１ｄの４つのボタンを操作することによってメニューの選択を行なうことができる。また、左ボタン１０＿３１ｃは、マクロ撮影を行なうか否かを切り換えるためのボタンでもあり、一度押下するとマクロ撮影モードとなり、再度押下するとマクロ撮影モードが解除される。さらに、右ボタン１０＿３１ｄは、フラッシュボタンの役割を担うボタンでもあり、押下する毎に、オートフラッシュ→赤目低減フラッシュ→強制フラッシュ→フラッシュ禁止→スローシンクロ→オートフラッシュというようにフラッシュの状態を繰り返し切り換えるためのボタンでもある。
【００４７】
メニュー／ＯＫボタン１０＿３２は、撮影時や再生時における各種のメニューを表示したり、選択されたメニューを決定するためのボタンである。
【００４８】
ＤＩＳＰ／ＢＡＣＫボタン１０＿３３は、ＤＩＳＰボタンおよびＢＡＣＫボタン双方の役割を担うボタンである。ＤＩＳＰボタンの役割の場合は、表示装置２０に表示された画面の状態を切り換えるためのボタンとなり、例えば撮影時に表示装置２０の表示をオン，オフしたり、再生時に文字表示をオン，オフしたりする。一方、ＢＡＣＫボタンの役割の場合は、ＭＥＮＵ／ＯＫボタン１０＿３２等による操作状態を１つ前に戻したり取り消したりするためのボタンとなる。
【００４９】
ＬＥＤオン／オフボタン１０＿３４は、後述する光透過性のＬＥＤ（本発明にいう発光体の一例に相当）をオン、オフするためのボタンである。
【００５０】
表示装置２０の構成については後述するが、この表示装置２０には、画像データに基づく画像を表示する表示画面と、その表示画面上に配置された複数個の光透過性のＬＥＤとが備えられている。
【００５１】
図４は、図１に示すデジタルカメラを下から見た外観図である。
【００５２】
デジタルカメラ１には電池カバー１０＿１３が備えられており、この図４には電池カバー１０＿１３が開放された状態のデジタルカメラ１が示されている。
【００５３】
また、デジタルカメラ１には、電池１００が挿入される電池挿入部１０＿１４が設けられている。さらに、このデジタルカメラ１には、記録メディア１０＿５４が挿入される記録メディアスロット１０＿１５が設けられている。また、このデジタルカメラ１には、三脚用ねじ穴１０＿１６も設けられている。
【００５４】
図５は、図１に示すデジタルカメラの内部構成を示す図である。
【００５５】
このデジタルカメラ１には、撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，フォーカシング，露光量調整を行なうためのモータドライバ１１１，１１２，１１３が備えられている。
【００５６】
また、デジタルカメラ１には、ＣＣＤ１１４と、タイミングジェネレータ１１５と、ＭＰＵ（Ｍｉｃｒｏ  Ｐｒｏｃｅｓｓｏｒ  Ｕｎｉｔ）１１６とが備えられている。
【００５７】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１１４には、入射された被写体光を電気信号である画像信号に変換するフォトダイオード等の光電変換素子が多数個備えられている。
【００５８】
タイミングジェネレータ１１５は、ＭＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００５９】
ＭＰＵ１１６は、このデジタルカメラ１全体の制御を行なう。具体的には、ＭＰＵ１１６にはＲＯＭ１１６ａが内蔵されており、その内蔵されたＲＯＭ１１６ａのプログラムの手順にしたがってデジタルカメラ１全体の動作が制御される。
【００６０】
さらに、デジタルカメラ１には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００６１】
また、デジタルカメラ１には、ＳＤＲＡＭ１２５の画像データを読み出させ、ＹＣ信号への変換を行なう画像処理プロセスを実行する画像信号処理部１２０と、画像処理プロセスが終了した時点でＪＰＥＧプロセスを実行して画像データの圧縮を行なう圧縮処理部１２１と、画像データをビデオ信号に変換して前述した表示装置２０に導くためのＶｉｄｅｏ／ＬＣＤエンコーダ１２２とが備えられている。
【００６２】
さらに、デジタルカメラ１には、画像のピント情報を検出するＡＦ検出部１２３と、画像の輝度情報と白色バランス情報を検出するＡＥ＆ＡＷＢ検出部１２４と、作業領域用のメモリとしても使用されるＳＤＲＡＭ１２５と、Ａ領域，Ｂ領域を有する表示用のバッファとしてのＶＲＡＭ１２６と、画像データを前述した記録メディア１０＿５４に記憶するための制御を行なうメディアコントローラ１２７とが備えられている。
【００６３】
尚、この図５には、前述したモードダイヤル１０＿９，ポップアップボタン１０＿１２，露出補正ボタン１０＿２４，モードスイッチ１０＿２７，フォトモードボタン１０＿３０，十字ボタン１０＿３１，メニュー／ＯＫボタン１０＿３２，ＤＩＳＰ／ＢＡＣＫボタン１０＿３３，ＬＥＤオン／オフボタン１０＿３４からなる操作部１０＿１００が示されている。
【００６４】
ここで、デジタルカメラ１の概略動作について説明する。
【００６５】
このデジタルカメラ１の動作は統括的にＭＰＵ１１６により制御される。このＭＰＵ１１６内にはＲＯＭ１１６ａが内蔵されており、その内蔵されたＲＯＭ１１６ａ内にプログラムが格納されている。このプログラムの手順にしたがってデジタルカメラ１全体の動作がＭＰＵ１１６により制御される。また、ＳＤＲＡＭ１２５にはＲＯＭ１１１６ａに記述されているプログラムの手順にしたがってＭＰＵ１１６がこのデジタルカメラ１全体を制御しているときに、処理中の画像データが一時的に格納されたりする。
【００６６】
また、表示用のバッファとしてのＶＲＡＭ１２６にはスルー画像を表わす画像データがＡ領域、Ｂ領域に順次記憶され、それらの領域にある画像データが交互にＶｉｄｅｏ／ＬＣＤエンコーダ１２２に供給され画像データに基づく画像が順次切り換えられてスルー画像として表示装置２０上に表示される。
【００６７】
先ず、モードダイヤル１０＿９（図２参照）がオートモード（ＡＵＴＯ）に切り替えられて撮影が行なわれた場合の画像データの流れを、図５を参照して説明する。
【００６８】
モードダイヤル１０＿９がオートモード（ＡＵＴＯ）に切り替えられると、ＭＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理部１２０で表示可能な画像データに変換してスルー画像を表示装置２０の画面上に表示させる。そのスルー画像に基づいて任意にフレーミングが行なわれ、ＡＦ検出部１２３が絶えずフォーカスレンズ１０＿１ｃを前後させ合焦点検出を行なってフレーミングの中央に焦点のあった画像をＣＣＤ１１４に結像させる。このときにはＡＥ＆ＡＷＢ検出部１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。撮影者はこのスルー画像を見ながらフレーミングを行ない、シャッタチャンスにレリーズ操作を行なう。
【００６９】
レリーズ操作が行なわれると、ＭＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＭＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＭＰＵ１１６が画像信号処理部１２０の画像処理プロセスを起動させ、その画像処理プロセスによってＳＤＲＡＭ１２５の画像データを読み出させ、ＹＣ信号への変換を行なわせる。さらに、この画像信号処理部１２０の画像処理プロセスが終了したことをＭＰＵ１１６が検知すると、ＭＰＵ１１６は圧縮処理部１２１のＪＰＥＧプロセスを起動させ、ＪＰＥＧプロセスによって画像データの圧縮を行なわせる。この圧縮処理部１２１での圧縮が完了したことをＭＰＵ１１６が検知すると、ＭＰＵ１１６は次に記録処理プロセスを起動させ、ＪＰＥＧ圧縮された画像データを、メディアコントローラ１２７を介して記録メディア１０＿５４に記録させる。以上がオートモードのときの撮影データの流れである。
【００７０】
以降、モードダイヤル１０＿９がマニュアルモードに切り替えられたときの画像データの処理について説明する。
【００７１】
モードダイヤル１０９がマニュアルモード（Ｍ）に切り替えられると、撮影条件が手動により設定されて撮影が行なわれる。このデジタルカメラ１においては撮影条件の一つであるフォーカスポイントも自在に設定することができるが、ここでは撮影条件の１つとして露出条件を挙げて以降説明する。
【００７２】
モードダイヤル１０＿９がマニュアルモード（Ｍ）に切り替えられると、スルー画像とともに露出補正値、シャープネス、フラッシュ光量などの補正を行なうための表示画面が表示装置２０に表示される。この表示画面の中の選択項目、例えば露出値の切り替えを十字キー１０＿３１により行なうことができる。
【００７３】
このようにマニュアルモードのときには、撮影者が任意に撮影条件の設定を行なえるようになっており、これらの撮影条件下で撮影が行なわれる。
【００７４】
このようなマニュアルモードで撮影が行なわれるときには、その設定された撮影条件によって露光アンダーであろうが、露光オーバーであろうがそのまま撮影が行なわれる。例えば、この露光アンダー、露光オーバーは、ＡＥ＆ＡＷＢ検出部１２４の検出結果に基づきＭＰＵ１１６が判定する。
【００７５】
次に、表示装置２０の構成について図６を参照して説明する。
【００７６】
図６は、図５に示す液晶モニタの構造を模式的に示す図である。
【００７７】
表示装置２０には、画像データに基づく画像を表示する液晶表示画面２０＿５（本発明の第１の表示装置における表示画面の一例に相当）と、その液晶表示画面２０＿５上に配置された光透過性のＬＥＤ部２０＿６とが備えられている。ＬＥＤ部２０＿６には、透明な光透過性基板２０＿４が備えられている。さらに、この光透過性基板２０＿４上には、赤色で発光する光透過性のＬＥＤ２０＿３Ｒが二次元的に搭載された赤色ＬＥＤ層２０＿３と、緑色で発光する光透過性のＬＥＤ２０＿２Ｇが二次元的に搭載された緑色ＬＥＤ層２０＿２と、青色で発光する光透過性のＬＥＤ２０＿１Ｂが二次元的に搭載された青色ＬＥＤ層２０＿１とが積層されている。これらのＬＥＤ２０＿３Ｒ，２０＿２Ｇ，２０＿１Ｂは、いずれも非発光時には透明なＬＥＤである。これら光透過性のＬＥＤ２０＿３Ｒ，２０＿２Ｇ，２０＿１Ｂが、本発明の第１の表示装置における光透過性の発光体の一例に相当する。
【００７８】
ここで、液晶表示画面２０＿５を構成する液晶について説明する。液晶方式としては、ホログラフィック液晶方式、コレステリック液晶選択反射方式、ゲストホスト方式、高分子分散型液晶方式（ＰＤＬＣ）が知られている。これら液晶方式における液晶は、二周波駆動液晶と組合せて用いることが好ましい。
【００７９】
先ず、ホログラフィック液晶方式について説明する。
【００８０】
ホログラフィック液晶方式とは、ネマチック液晶にモノマーを添加した系に、二光束干渉法により特定の波長の光だけ選択反射するような周期的な屈折率の分布を形成させる方法である。
【００８１】
図７は、ホログラフィック液晶方式の原理を説明するための模式図である。
【００８２】
図７に示す、ホログラフィック液晶方式を採用した反射型表示板２１＿１０には、液晶分子２１＿１１と、ポリマー２１＿１２と、それら液晶分子２１＿１１およびポリマー２１＿１２を封止する封止部材２１＿１３とが備えられている。
【００８３】
反射モードにおいては、液晶分子２１＿１１はランダムであり、ポリマー２１＿１２との屈折率の差は大きい。このため、入射光Ａはブラッグ反射の原理により、図８に示す反射光Ｂのように、いわゆる選択反射される。
【００８４】
一方、透過モードにおいては、液晶分子２１＿１１は垂直であり、ポリマー２１＿１２との液晶分子２１＿１１の長軸方向の屈折率はほぼ同じである。このため、屈折率の差は小さく、従って入射光Ａは透過することとなる。
【００８５】
次に、コレステリック液晶選択反射方式について説明する。
【００８６】
図８は、コレステリック液晶選択反射方式の原理を説明するための模式図である。
【００８７】
図８に示す、コレステリック液晶選択反射方式を採用した反射型表示板２１＿２０には、液晶分子２１＿２１と、透明電極２１＿２２が備えられている。
【００８８】
コレステリック液晶選択反射方式においては、二色性色素は入っておらず、このコレステリック液晶選択反射方式では、液晶分子２１＿２１の屈折率分布を光の波長程度にすることで、特定の波長の光のみ選択反射させる。
【００８９】
ここで、コレステリック状態とは、コレステリック液晶、またはカイラル剤とネマティック液晶との混合物により形成させる螺旋状の配向状態であり、螺旋ピッチに応じた波長の光を選択的に反射する性質を示す。図８（ａ）に示すように、コレステリック相の螺旋軸が透明電極２１＿２２に対して垂直に向いている状態をプラナー状態と呼び、螺旋ピッチに応じた波長の光Ａを選択的に光Ｂとして反射する性質を示す。一方、図８（ｂ）に示すように、コレステリック相の螺旋軸が透明電極２１＿２２に対して水平に向いている状態をフォーカルコニック状態と呼び、この場合光Ａは反射されず、透過する。このプラナー状態とフォーカルコニック状態は電圧の印加方法により、作り分けることができ、また各々の状態はメモリ性を有するという特徴がある。コレステリック相転移の駆動方式については、特開２００１−２０１７６２号公報に記載の方法が参考となる。螺旋ピッチの制御は、カイラル剤の濃度を変えることによってできる。通常、カイラル剤の濃度が高いほど、螺旋ピッチは短くなり、より短波長側の光を選択反射するようになる。
【００９０】
次に、ホログラフィック液晶方式およびコレステリック液晶選択反射方式の実施例について説明する。
【００９１】
実施例１．ホログラフィック液晶方式
液晶層として、二周波駆動用ネマチック液晶ＤＦ０２ｘｘ（チッソ社製）、モノマーとして２―エチルヘキシルアクリレートとウレタンアクリレートオリゴマーの混合物を用いて、そこに光重合開始剤を添加した液晶層を作製した。アルゴンレーザー（４８８ｎｍ）の二光束干渉法による光硬化を行い、４００ｎｍから７００ｎｍの光を選択反射する調光フィルタ（セルギャップ２５μｍ）を作製した。
【００９２】
本実施例の素子は、５５０ｎｍの光に対して、透過率が８５％（電圧印加時の状態）から、透過率が２．０％（電圧無印加の状態）にまで変化させることができる。
【００９３】
実施例２．コレステリック液晶方式
液晶として、５ＣＢ（メルク社製）を、カイラル剤としてＲ―８１１およびＳ―８１１（ともにメルク社製）を用いて、カイラル剤の濃度を調製することにより可視域の光（４００ｎｍから７００ｎｍ）を選択反射する右巻きのコレステリック液晶層と左巻きのコレステリック液晶層を作製し（セルギャップ１０μｍ）、これら２層を積層させた。
【００９４】
本実施例の素子は、５５０ｎｍの光に対して、透過率が９０％（フォーカルコニックの状態）から、透過率が３２．０％（プレナーの状態）にまで変化させることができる。
【００９５】
次に、ゲストホスト方式について説明する。
【００９６】
ゲストホスト方式における液晶層は、交流電場の周波数に応じて液晶分子の配列が変化する性質をもつネマチック液晶と、可視域の光を吸収する二色性色素（必要に応じて、イエロー域を吸収する二色性色素、マゼンタ域を吸収する二色性色素、シアン域を吸収する二色性色素を適宜混合して用いる）を組成成分としている。さらに液晶層には、後述するように液晶分子の配列がらせん状になるようにするため、カイラル剤が加えられる。例えば、ネマチック液晶は、チッソ社製の二周波駆動用ネマチック液晶ＤＦ０２ｘｘであり、二色性色素は、三井東圧社製の黒色色素である。また、カイラル剤として、メルク社製のＲ―８１１が用いられる。ネマチック液晶の液晶分子は、ほぼ楕円体の形状をしており、低周波の交流電場をかけると楕円体の長軸が電場の向きと平行になり、高周波の交流電場をかけると楕円体の長軸が電場の向きと直交する性質を持つ。カイラル剤を加えることにより、楕円体の長軸が電場の向きと直交するときの配位は、電場の方向をらせん軸としたらせん状の配位となる。可視域の光を吸収する二色性色素は、ネマチック液晶中に溶解しているため、交流電場の周波数の変化に対してネマチック液晶分子と同様に配列が変化する。この二色性色素もほぼ楕円体の形状をしており、楕円体の長軸と光の入射方向が直交している時は可視域の光を吸収するが、楕円体の長軸と光の入射方向が平行の時は可視域の光を吸収しない性質を持つ。そのため、楕円体の長軸と光の方向が平行の時は、赤、緑、青の３色全ての波長域の光が透過し、外部からは液晶層は透明に見える。また、楕円体の長軸と光の入射方向が直交している時、二色性色素がらせん状の配位をとることで、長軸方向が、電場方向と垂直な２次元面内の様々な方向を向き、このため可視域の光がどの方向から入射しても吸収しやすくなる。以下では、交流電場の周波数の変化に伴うこのような配列の変化について具体的に説明する。
【００９７】
例えば、液晶分子層における電場は、これらの液晶分子層に垂直な方向に印加される。二色性色素と液晶分子は、それぞれの液晶分子層内ではどれも同じ方向に配列されるが、この配列は液晶分子層全体ではらせん状になっている。赤、緑、青のそれぞれの波長域の光は、電場と平行に、すなわち液晶分子層に対して垂直に入射し、二色性色素によって可視域の光が吸収される。液晶層のこのような状態をオン状態と呼ぶ。
【００９８】
低周波の交流電場をかけたとき、電場の方向に対して液晶分子の長軸は、電場の向きと平行になるため、二色性色素も長軸が電場の向きと平行になるように配列される。光は、電場の向きと平行に入射するが、光の入射方向と二色性色素の長軸とが平行であるため、入射光はそのまま液晶層を透過する。液晶層のこのような状態をオフ状態と呼ぶ。以上説明した構成を用いたときのオン状態とオフ状態の切り替えにかかる時間は、例えば８ｍｓ〜１０ｍｓである。
【００９９】
次に、上述した液晶表示画面２０＿５上に配置された光透過性のＬＥＤ部２０＿６を構成するＬＥＤ２０＿３Ｒ，２０＿２Ｇ，２０＿１Ｂの製造方法について説明する。本実施形態のＬＥＤ２０＿３Ｒ，２０＿２Ｇ，２０＿１Ｂは、透明酸化物ダイオードであり、この透明酸化物ダイオードの製造方法において、ｎ型ＣｕＩｎＯ2を形成する透明基板は、室温において可視光が良く透過するものであることが好ましい。波長３８０ｎｍ〜８００ｎｍの可視光領域における光透過率は好ましくは５０〜１００％であり、より好ましくは８０〜１００％である。
【０１００】
例えば、ポリカーボネート、ポリメタクリル酸メチルなどのプラスチック基板、石英ガラス、パイレックス（コーニング  インコーポレーテッド登録商標）ガラスなどのガラス基板、などの結晶基板などが挙げられる。ガラス基板は、光透過率を高めるために、両面を光学研磨してあることが好ましい。
【０１０１】
ｎ型およびｐ型ＣｕＩｎＯ2層を積層する方法として、例えば、ＰＬＤ法、スパッタリング法、ＣＶＤ法、ＭＢＥ法、真空蒸着法などを選ぶことができる。
【０１０２】
ｐ型ＣｕＩｎＯ2の成長方法において、ｐ型ＣｕＩｎＯ2層を形成する際には、雰囲気ガスとして１×１０-4Ｐａ〜１００Ｐａの酸素ガスを容器内に導入することが好ましい。基板温度は、より好ましくは３００℃〜７００℃の範囲である。
【０１０３】
焼結体ターゲットとしては、２価の金属イオンをＩｎサイトに０〜２０ａｔｏｍｉｃ％置換したものを用いる。ホール濃度はＭｇ2+，Ｃａ2+，Ｓｒ2+，Ｂａ2+，Ｚｎ2+などの２価の金属イオンの置換率で制御できる。中でも、Ｃａ2+を用いた場合にホール濃度の制御性が良好である。
【０１０４】
ｎ型ＣｕＩｎＯ2の成長方法において、ｎ型ＣｕＩｎＯ2層を形成する際には、雰囲気ガスとして１×１０-4Ｐａ〜１００Ｐａの酸素ガスを容器内に導入することが好ましい。基板温度は２００℃〜１０００℃の範囲で選択することが好ましい。
【０１０５】
焼結体ターゲットとしては、４価の金属イオンをＩｎサイトに０〜２０ａｔｏｍｉｃ％置換したものを用いる。キャリア電子濃度はＴｉ4+，Ｚｒ4+，Ｈｆ4+，Ｓｉ4+，Ｇｅ4+，Ｓｎ4+などの４価の金属イオンの置換率で制御できる。中でも、Ｓｎ4+を用いた場合に電子濃度の制御性が良好である。
【０１０６】
本発明の第１の撮影装置の一実施形態であるデジタルカメラ１は、画像データに基づく画像を表示する液晶表示画面２０＿５上に、複数個の光透過性のＬＥＤ２０＿３Ｒ，２０＿２Ｇ，２０＿１Ｂが配置された構成である。ここで、ＬＥＤオン／オフボタン１０＿３４（図３参照）を押下する。すると、液晶表示画面２０＿５の、電池交換を促す旨の電池残量用アイコンに対応する箇所のＬＥＤ２０＿３Ｒ，２０＿２Ｇ，２０＿１Ｂが点灯（もしくは点滅）する。尚、この電池残量用アイコンをＬＥＤ２０＿３Ｒ，２０＿２Ｇ，２０＿１Ｂの点灯（もしくは点滅）により直接的に表現してもよい。さらに、液晶表示画面２０＿５の、電池残量用アイコン以外の情報に対応する箇所のＬＥＤ２０＿３Ｒ，２０＿２Ｇ，２０＿１Ｂを点灯（もしくは点滅）したり、その情報をＬＥＤ２０＿３Ｒ，２０＿２Ｇ，２０＿１Ｂの点灯（もしくは点滅）により直接的に表現してもよい。このようにすることにより、太陽光に代表されるように強い光の下であっても、必要な情報をはっきりと確認することができる。
【０１０７】
次に、本発明の第２の撮影装置の一実施形態であるデジタルカメラについて説明する。
【０１０８】
図９は、本発明の第２の撮影装置の一実施形態のデジタルカメラを背面から見た外観図、図１０は、図９に示すデジタルカメラに備えられた表示装置の一部を拡大して示す断面図である。
【０１０９】
尚、本発明の第２の撮影装置の一実施形態のデジタルカメラのその他の外観図は、前述した、図１，図２，図４に示すデジタルカメラ１の外観図と同じであるため、図示省略する。また、前述したデジタルカメラ１の構成要素と同じ構成要素には同一の符号を付し、異なる点について説明する。
【０１１０】
図９に示すデジタルカメラ２は、図３に示すデジタルカメラ１と比較し、表示装置２０に代えて、本発明の第２の表示装置の一実施形態である表示装置３０が備えられている。
【０１１１】
この表示装置３０には、図１０に示すように、画像データに基づく画像を表示する液晶表示画面２０＿５と、その液晶表示画面２０＿５上に配置された接触位置を検出するタッチパネル３００と、液晶表示画面２０＿５およびタッチパネル３００が重なるように配置された複数個の光透過性のＬＥＤ３０１とが備えられている。
【０１１２】
タッチパネル３００は、抵抗膜方式のタッチパネルのうちのアナログタイプのタッチパネルであり、このタッチパネル３００には、透明フイルム３００ａと、その透明フイルム３００ａに設けられた透明導電膜３００ｂと、ガラス基板３００ｃと、そのガラス基板３００ｃに設けられた透明導電膜３００ｄと、透明導電膜３００ｂ，３００ｄ間に配備されたドットスペーサ３００ｅとが備えられている。このタッチパネル３００は、指あるいはペンで押したとき、透明導電膜３００ｂ，３００ｄどうしが接触することによりタッチパネル入力が行なわれる。ここで、透明導電膜３００ｂ，３００ｄ間に配備されたドットスペーサ３００ｅは、透明絶縁体からなる部材であり、未入力時の上下の透明導電膜３００ｂ，３００ｄのショートを防止する役割を担うものである。
【０１１３】
この表示装置３０は、画像データに基づく画像を表示する液晶表示画面２０＿５および接触位置を検出するタッチパネル３００が重なるように、複数個の光透過性のＬＥＤ３０１を配置した構成であるため、液晶表示画面２０＿５に表示される情報に対応する箇所のＬＥＤ３０１を点灯（もしくは点滅）ことにより、太陽光に代表されるように強い光の下であっても、タッチパネル３００のどの位置をタッチしたらよいのかをはっきりと確認することができる。
【０１１４】
また、この表示装置３０には、図９に示すように、表示装置３０の、タッチパネル３００を取り囲む周辺左部に、発光制御部３１０が備えられている。この発光制御部３１０は、タッチパネル３００への接触（タッチ）に連動して、接触された周辺部に対応する光透過性のＬＥＤ３０１を発光させる。このため、ＬＥＤオン／オフボタン１０＿３４を操作して光透過性のＬＥＤ３０１を発光させる必要もなく、操作性が高まる。さらに、光制御部３１０は、タッチパネル３００への接触に連動して接触点に対応する光透過性ＬＥＤ３０１を発光させるものである。このため、接触した位置を即座に視認することができ、従ってその位置における情報を素早く把握することができる。
【０１１５】
さらに、表示装置３０には、図９に示すように、発光制御部３１０の上部に照度センサ３２０が備えられている。また、発光制御部３１０は、この照度センサ３２０で検知された所定の照度以上の照度下にある場合に、タッチパネル３００への接触に連動して光透過性のＬＥＤ３０１を発光させる。このため、タッチパネル３００をタッチした場合であっても、比較的明るい場所でのみ、光透過性のＬＥＤ３０１が発光するため、消費電力の低減化が図られている。
【０１１６】
また、上記複数個の光透過性のＬＥＤ３０１は複数の色で発光を分担するＬＥＤであって、発光制御部３１０の下部には、タッチパネル３００への接触とその接触により生じる効果との対応関係が定義された操作モードに切り替える操作モード切替部３３０が備えられている。さらに、発光制御部３１０は、タッチパネル３００への接触に連動して操作モードに応じた発光色の光透過性ＬＥＤ３０１を発光させるものでもある。このため、撮影モードでは赤色で光透過性ＬＥＤ３０１を発光させ、再生モードでは青色で光透過性ＬＥＤ３０１を発光させるというように制御することができる。従って、液晶表示画面２０＿５に表示される情報を一層はっきりと確認することができる。
【０１１７】
図１１は、図１０に示す表示装置の分解斜視図である。
【０１１８】
図１１には、表示装置３０を構成する、透明導電膜３００ｂ，３００ｄを備えたタッチパネル３００と、複数個の光透過性のＬＥＤ３０１と、液晶表示画面２０＿５とが示されている。また、図１１には、透明導電膜３００ｂ，３００ｄからの信号を伝達するためのコネクタ３００ｆも示されている。
【０１１９】
図１２は、図１１に示すタッチパネルの回路図、図１３は、透明導電膜に電圧が印加される様子を示す図、図１４は、図１１に示すタッチパネルの回路における出力データの一例を示す図である。
【０１２０】
図１２には、透明導電膜３００ｂであるＸ電極抵抗膜（Ｘ座標回路）と、透明導電膜３００ｄであるＹ電極抵抗膜（Ｙ座標回路）と、制御部３１１を有するタッチパネルコントローラ３００ｈとが示されている。また、図１３には、Ｘ電極抵抗膜の一端３００ｂ１，他端３００ｂｎ、およびＹ電極抵抗膜の一端３００ｄ１，他端３００ｄｎが示されている。Ｘ電極抵抗膜の一端３００ｂ１，他端３００ｂｎには、電圧ＶCC，グラウンドＧＮＤが接続される。
【０１２１】
ここで、図１２に示すように、タッチパネルを押下すると、Ｘ電極抵抗膜とＹ電極抵抗膜とが接触し、接触した点ｘｌ（ここでは点Ｂ）における電圧値が、Ｙ電極抵抗膜を経由して、制御部３１１で信号Ａ＿ｉｎとして検出される。即ち、タッチした位置の抵抗値の比がアナログ的に検出される。
【０１２２】
この電圧値は、電圧供給電極側では大きくなり、例えば点Ｅでは信号Ａ＿ｉｎで表わされる電圧値はおよそＶCCとなる。一方、グラウンド電極側では、検出される電圧値は小さくなり、例えば点Ａでは信号Ａ＿ｉｎで表わされる電圧値はおよそ０Ｖとなる。制御部３１１では、この電圧値をＡ／Ｄ（アナログ／デジタル）変換し、これによりＸ座標データ（Ｄ＿ｏｕｔ）を算出する。同様にして、Ｙ座標データを算出する。これらを交互に繰り返すことにより、入力点の座標データを決定する。図１４には、点Ａにおける信号Ａ＿ｉｎで表わされる電圧値０Ｖおよび電圧値０Ｖに対応する座標データ００００ｈ（最小）と、点Ｂにおける信号Ａ＿ｉｎで表わされる電圧値１．２５Ｖおよび電圧値１．２５Ｖに対応する座標データ００ＦＦｈと、点Ｃにおける信号Ａ＿ｉｎで表わされる電圧値２．５Ｖおよび電圧値２．５Ｖに対応する座標データ０１ＦＦｈと、点Ｄにおける信号Ａ＿ｉｎで表わされる電圧値３．７５Ｖおよび電圧値３．７５Ｖに対応する座標データ０２ＦＦｈと、点Ｅにおける信号Ａ＿ｉｎで表わされる電圧値５Ｖおよび電圧値５Ｖに対応する座標データ０３ＦＦｈ（最大）とが示されている。
【０１２３】
図１５は、図１０に示す表示装置とは異なる表示装置の分解斜視図である。
【０１２４】
尚、図１１に示す表示装置３０の構成要素と同じ構成要素には同一の符号を付し、異なる点について説明する。
【０１２５】
図１５に示す表示装置４０は、図１０に示す表示装置３０と比較し、タッチパネル３００に代わるタッチパネル４００が備えられている。このタッチパネル４００は、抵抗膜方式のタッチパネルのうちのマトリックスタイプのタッチパネルである。図１５には、上部に配備された短冊状の透明電極膜４００ｂと、下部に配備された短冊状の透明電極膜４００ｄと、それら透明導電膜４００ｂ，４００ｄからの信号を伝達するためのケーブル４００ｆ，４００ｇとが示されている。このようなタッチパネル４００でタッチされた位置データを検出してもよい。
【０１２６】
尚、上述した本実施形態では、本発明の表示装置として、液晶表示画面を備えた表示装置の例で説明したが、これに限られるものではなく、本発明の表示装置は、有機ＥＬディスプレイ，無機ＥＬディスプレイ、プラズマディスプレイ、ブラウン管ディスプレイ等にも適用可能である。
【０１２７】
また、本実施形態では、本発明の撮影装置としてデジタルカメラの例で説明したが、これに限られるものではなく、本発明の撮影装置は、携帯電話に搭載されるカメラやビデオカメラ等であってもよい。
【図面の簡単な説明】
【０１２８】
【図１】本発明の第１の撮影装置の一実施形態のデジタルカメラを前面斜め上から見た外観斜視図である。
【図２】図１に示すデジタルカメラを上から見た外観図である。
【図３】図１に示すデジタルカメラを背面から見た外観図である。
【図４】図１に示すデジタルカメラを下から見た外観図である。
【図５】図１に示すデジタルカメラの内部構成を示す図である。
【図６】図５に示す液晶モニタの構造を模式的に示す図である。
【図７】ホログラフィック液晶方式の原理を説明するための模式図である。
【図８】コレステリック液晶選択反射方式の原理を説明するための模式図である。
【図９】本発明の第２の撮影装置の一実施形態のデジタルカメラを背面から見た外観図である。
【図１０】図９に示すデジタルカメラに備えられた表示装置の一部を拡大して示す断面図である。
【図１１】図１０に示す表示装置の分解斜視図である。
【図１２】図１１に示すタッチパネルの回路図である。
【図１３】透明導電膜に電圧が印加される様子を示す図である。
【図１４】図１１に示すタッチパネルの回路における出力データの一例を示す図である。
【図１５】図１０に示す表示装置とは異なる表示装置の分解斜視図である。
【符号の説明】
【０１２９】
１，２  デジタルカメラ
１０＿１  ズーム鏡胴
１０＿１ａ  ズームレンズ
１０＿１ｂ  アイリス
１０＿１ｃ  フォーカスレンズ
１０＿２  フラッシュ発光部
１０＿３  フラッシュ調光センサ
１０＿４  光学式ファインダ
１０＿５  グリップ
１０＿６  セルフタイマランプ
１０＿８  シャッタボタン
１０＿９  モードダイヤル
１０＿１０  電源ボタン
１０＿１２  ポップアップボタン
１０＿１３  電池カバー
１０＿１４電池挿入部
１０＿１５  記録メディアスロット
１０＿１６  三脚用ねじ穴
１０＿２４  露出補正ボタン
１０＿２５  広角ズームボタン
１０＿２６  望遠ズームボタン
１０＿２７  モードスイッチ
１０＿３０  フォトモードボタン
１０＿３１  十字ボタン
１０＿３１ａ  上ボタン
１０＿３１ｂ  下ボタン
１０＿３１ｃ  左ボタン
１０＿３１ｄ  右ボタン
１０＿３２  メニュー／ＯＫボタン
１０＿３３  ＤＩＳＰ／ＢＡＣＫボタン
１０＿３４  ＬＥＤオン／オフボタン
１０＿４１  対物レンズ
１０＿４１ａ  光学式ファインダ対物窓
１０＿４２  接眼レンズ
１０＿４２ｂ  光学式ファインダ接眼窓
１０＿５４  記録メディア
１０＿１００  操作部
２０，３０，４０  表示装置
２０＿１Ｂ，２０＿２Ｇ，２０＿３Ｒ，３０１  ＬＥＤ
２０＿１，２０＿２，２０＿３  ＬＥＤ層
２０＿４  光透過性基板
２０＿５  液晶表示画面
２０＿６  ＬＥＤ部
２１＿１０，２１＿２０  反射型表示板
２１＿１１，２１＿２１  液晶分子
２１＿１２  ポリマー
２１＿１３  封止部材
２１＿２２  透明電極
１００  電池
１１１，１１２，１１３  モータドライバ
１１４  ＣＣＤ
１１５  タイミングジェネレータ
１１６  ＭＰＵ
１１６ａ  ＲＯＭ
１１７  ＣＤＳＡＭＰ
１１８  Ａ／Ｄ変換部
１１９  画像入力コントローラ
１２０  画像信号処理部
１２１  圧縮処理部
１２２  Ｖｉｄｅｏ／ＬＣＤエンコーダ
１２４  ＡＥ＆ＡＷＢ検出部
１２３  ＡＦ検出部
１２５  メモリ（ＳＤＲＡＭ）
１２６  ＶＲＡＭ
１２７  メディアコントローラ
３００，４００  タッチパネル
３００ａ  透明フイルム
３００ｂ，３００ｄ，４００ｂ，４００ｄ  透明導電膜
３００ｂ１  Ｘ電極抵抗膜の一端
３００ｂｎ  Ｘ電極抵抗膜の他端
３００ｃ  ガラス基板
３００ｄ１  Ｙ電極抵抗膜の一端
３００ｄｎ  Ｙ電極抵抗膜の他端
３００ｅ  ドットスペーサ
３００ｆ  コネクタ
３００ｈ  タッチパネルコントローラ
３１０  発光制御部
３１１  制御部
３２０  照度センサ
３３０  操作モード切替部
４００ｆ，４００ｇ  ケーブル
【図１】
2006244292.tif 000003
【図２】
2006244292.tif 000004
【図３】
2006244292.tif 000005
【図４】
2006244292.tif 000006
【図５】
2006244292.tif 000007
【図６】
2006244292.tif 000008
【図７】
2006244292.tif 000009
【図８】
2006244292.tif 000010
【図９】
2006244292.tif 000011
【図１０】
2006244292.tif 000012
【図１１】
2006244292.tif 000013
【図１２】
2006244292.tif 000014
【図１３】
2006244292.tif 000015
【図１４】
2006244292.tif 000016
【図１５】
2006244292.tif 000017